(57)【特許請求の範囲】
【請求項１】
上面に開口部が形成されたシンク本体と、前記開口部の一部を覆うように前記シンク本体の上部に着脱可能に配置されるまな板と、を備える台所用シンクであって、
前記シンク本体は、
底面部と、
前記底面部における奥行き方向の奥側から起立する奥壁部と、
前記底面部における奥行き方向の手前側から起立する前壁部と、
前記底面部における奥行き方向に直交する幅方向の両端部からそれぞれ起立する一対の側壁部と、
前記一対の側壁部の上端部から幅方向の外側に略水平方向に延出し、前記まな板を支持する一対の第１まな板支持部と、
前記第１まな板支持部における前記前壁部側に設けられ前記第１まな板支持部に支持された前記まな板の該前壁部側への移動を規制する第１規制部と、を備え、
前記前壁部の上端部は、前記第１規制部よりも手前側に位置する台所用シンク。
【請求項２】
前記前壁部の上端部近傍における幅方向の中央部に設けられ、前記まな板を支持する第２まな板支持部を更に備える請求項１に記載の台所用シンク。
【請求項３】
前記第２まな板支持部の高さは、前記第１まな板支持部の高さよりも低く構成される請求項２に記載の台所用シンク。
【請求項４】
前記奥壁部の上端部から奥側に略水平方向に延出する第３まな板支持部を更に備える請求項２又は３に記載の台所用シンク。
【請求項５】
前記前壁部は、鉛直方向に対して４０°〜５０°手前側に傾斜して起立する請求項１〜４のいずれかに記載の台所用シンク。
【請求項６】
前記シンク本体は、合成樹脂部材により一体成型されて形成されている請求項１〜５のいずれかに記載の台所用シンク。
【請求項７】
請求項１〜６のいずれかに記載の台所用シンクと、該台所用シンクの幅方向の外側に該台所用シンクに連続して設けられるカウンターと、を備え、
前記台所用シンクの下部には、該台所用シンクの利用者が椅子に座った状態で脚部を進入可能な脚部進入空間が形成されるシステムキッチン。
【請求項８】
前記台所用シンクの手前側の端部から１８〜２１ｃｍ奥側の高さが６８ｃｍ以上である請求項７に記載のシステムキッチン。
【請求項９】
前記台所用シンクの手前側の端部は、前記カウンターの手前側の端部よりも手前側に位置する請求項７又は８に記載のシステムキッチン。
【発明の詳細な説明】
【技術分野】
【０００１】
本発明は、台所用シンク及び台所用シンクを備えるシステムキッチンに関する。
【背景技術】
【０００２】
従来より、台所等に配置される台所用シンクは、上面に開口部が形成されたシンク本体を備えている。シンク本体は、底面部と、底面部の四方から起立する壁部を有している。また、シンク本体における手前側の壁部及び奥側の壁部の上端をシンク本体の高さよりも低くして、これら手前側の壁部の上端及び奥側の壁部の上端に、それぞれまな板の端部を載置可能に構成した台所用シンクも提案されている（例えば、特許文献１参照）。特許文献１に記載の台所用シンクによれば、シンク本体の上部でまな板を使用することができるため、台所用シンクの周囲で調理するスペースを広くとることができる。
【先行技術文献】
【特許文献】
【０００３】
【特許文献１】特開平１０−７５８３８号公報
【発明の概要】
【発明が解決しようとする課題】
【０００４】
しかしながら、特許文献１で提案された台所用シンクでは、シンク本体の上部にまな板を配置した状態で調理等を行った場合に、まな板の上に落ちた水や、調理により生じる液体が、シンク本体の手前側にこぼれ出てしまう場合がある。
【０００５】
従って、本発明は、まな板からシンク本体の手前側へ水がこぼれ出ずに、利用しやすい台所用シンク及び該台所用シンクを備えるシステムキッチンを提供することを目的とする。
【課題を解決するための手段】
【０００６】
本発明は、上面に開口部が形成されたシンク本体と、前記開口部の一部を覆うように前記シンク本体の上部に着脱可能に配置されるまな板と、を備える台所用シンクであって、前記シンク本体は、底面部と、前記底面部における奥行き方向の奥側から起立する奥壁部と、前記底面部における奥行き方向の手前側から起立する前壁部と、前記底面部における奥行き方向に直交する幅方向の両端部からそれぞれ起立する一対の側壁部と、前記一対の側壁部の上端部から幅方向の外側に略水平方向に延出し、前記まな板を支持する一対の第１まな板支持部と、前記第１まな板支持部における前記前壁部側に設けられ前記第１まな板支持部に支持された前記まな板の該前壁部側への移動を規制する第１規制部と、を備え、前記前壁部の上端部は、前記第１規制部よりも手前側に位置する台所用シンクに関する。
【０００７】
また、前記前壁部の上端部近傍における幅方向の中央部に設けられ、前記まな板を支持する第２まな板支持部を更に備えることが好ましい。
【０００８】
また、前記第２まな板支持部の高さは、前記一対のまな板支持部の高さよりも低く構成されることが好ましい。
【０００９】
また、前記奥壁部の上端部から奥側に略水平方向に延出する第３まな板支持部を更に備えることが好ましい。
【００１０】
また、前記前壁部は、鉛直方向に対して４０°〜５０°手前側に傾斜して起立することが好ましい。
【００１１】
また、前記シンク本体は、合成樹脂部材により一体成型されて形成されていることが好ましい。
【００１２】
また、システムキッチンは、前記台所用シンクと、該台所用シンクの幅方向の外側に該台所用シンクに連続して設けられるカウンターと、を備え、前記台所用シンクの下部には、該台所用シンクの利用者が椅子に座った状態で脚部を進入可能な脚部進入空間が形成されることが好ましい。
【００１３】
また、前記台所用シンクの手前側の端部から１８〜２１ｃｍ奥側の高さが６８ｃｍ以上であることが好ましい。
【００１４】
また、前記台所用シンクの手前側の端部は、前記カウンターの手前側の端部よりも手前側に位置することが好ましい。
【発明の効果】
【００１５】
本発明によれば、まな板からシンク本体の手前側へ水がこぼれ出ずに、利用しやすい台所用シンク及び台所用シンクが設けられたシステムキッチンを提供することができる。
【図面の簡単な説明】
【００１６】
【図１】本発明の台所用シンクが設けられたシステムキッチンを示す平面図である。
【図２】本発明の台所用シンクが設けられたシステムキッチンを示す部分斜視図である。
【図３】第１実施形態の台所用シンクを示す斜視図である。
【図４】第１実施形態の台所用シンクを示す平面図である。
【図５】図４のＡ−Ａ線の断面図である。
【図６】図４のＢ−Ｂ線の断面図である。
【図７】第１実施形態の台所用シンクの使用の状態を示す斜視図である。
【図８】図７のＣ−Ｃ線の断面図である。
【図９】第２実施形態の台所用シンクを示す斜視図である。
【図１０】第２実施形態の台所用シンクを示す平面図である。
【図１１】第２実施形態の台所用シンクの使用の状態を示す斜視図であり、まな板を奥行き方向に沿って配置した状態を示す図である。
【図１２】第２実施形態の台所用シンクの使用の状態を示す斜視図であり、まな板を幅方向に沿って配置した状態を示す図である。
【図１３】第３実施形態の台所用シンクを示す斜視図である。
【図１４】第３実施形態の台所用シンクの変形例を示す斜視図である。
【発明を実施するための形態】
【００１７】
以下、本発明の実施形態について図面を参照しながら説明する。図１は、第１実施形態の台所用シンク１が設けられたシステムキッチン１００の平面図である。図２は、台所用シンク１が設けられたシステムキッチン１００の部分斜視図である。図３は、台所用シンク１を示す斜視図であり、まな板は省略して示されている。図４は、台所用シンク１を示す平面図である。蓋は省略して示されている。図５は、図４のＡ−Ａ線の断面図である。図６は、図４のＢ−Ｂ線の断面図である。図７及び図８は、台所用シンク１の使用の状態を示す図である。
【００１８】
第１実施形態の台所用シンク１は、図１及び図２に示すように、台所で調理を行うためのシステムキッチン１００の一部を構成する。より具体的には、システムキッチン１００は、台所用シンク１と、水栓３と、カウンター１０１と、加熱調理台１０２と、キャビネット１０３と、脚部進入空間１０４と、を備える。
【００１９】
台所用シンク１は、水栓３から排出される水を利用して調理するために、カウンター１０１に設けられる凹部である。台所用シンク１は、上面に開口部１０ａが形成されたシンク本体１０と、開口部１０ａの一部を覆うようにシンク本体１０の上部に着脱可能に配置されるまな板２０と、を備える。
【００２０】
まな板２０は、シンク本体１０の開口部１０ａを跨いで渡すことのできる長さを有する板状の部材で構成される。まな板２０は、長方形である。まな板２０は、合成樹脂等の汚れの付着しにくい部材により構成される。
【００２１】
シンク本体１０は、図３〜図８に示すように底面部１１と、前壁部１２と、奥壁部１３と、一対の側壁部１４、１５と、排水部５と、蓋５１と、を備える。また、シンク本体１０は、第１まな板支持部４１と、第２まな板支持部４２と、第１規制部４４と、第２規制部４５と、第３規制部４６と、を備える。
【００２２】
シンク本体１０は、合成樹脂部材により一体成形されて構成される。本実施形態では、シンク本体１０及びカウンター１０１は、プレス成形により一体で成形されている。そして、シンク本体１０は、その上面がカウンター１０１に連続するように配置されている。
【００２３】
底面部１１は、平面視で略矩形状の矩形部分と、矩形部分の奥側の一部が更に奥へ延出し、排水部５が設けられている排水部分とを備える。底面部１１は、図５及び図６に示すように、この排水部分が最も低くなるように、排水部分に向かって緩やかな下り傾斜を形成するように設けられている。
【００２４】
奥壁部１３は、底面部１１の奥行き方向ＤＤにおける奥側から起立する壁である。奥壁部１３は、略矩形部分の奥側から排水部分の奥側に沿って形成されている。奥壁部１３は、略矩形部分の奥側の壁と、排水部分の奥側の壁と、略矩形部分の奥側の壁及び排水部分の奥側の壁を繋ぎ、これらの壁に直交する部分とから構成されている。
【００２５】
前壁部１２は、底面部１１の奥行き方向ＤＤにおける手前側から起立する壁である。図４及び図５に示すように、前壁部１２は、上端部１２ａから底面部１１に向かって緩やかに傾斜している。前壁部１２の上端部１２ａから傾斜する傾斜部分は、第１傾斜部１２１を形成する。また、前壁部１２は、第１傾斜部１２１から更に底面部１１に向かって第１傾斜部１２１よりも急に傾斜する第２傾斜部１２２を有する。前壁部１２は、第２傾斜部１２２において底面部１１から鉛直方向に対して手前側に４０°〜５０°角度αの分傾斜している。また、前壁部１２は、前壁部１２の手前側から底面部１１の奥側へ、長さＬ１にわたって傾斜しており、長さＬ１は、例えば１８ｃｍ〜２１ｃｍである。
【００２６】
一対の側壁部１４、１５は、図６に示すように、底面部１１における奥行き方向ＤＤに直交する幅方向ＷＤの両端部からそれぞれ起立する壁である。一方の側壁部１４と、他方の側壁部１５とは、略平行に延びている。
【００２７】
第１まな板支持部４１は、一対の側壁部１４、１５の上端部１４ａ、１５ａから幅方向ＷＤの外側に略水平方向に延出し、まな板２０の端部を支持する。第１まな板支持部４１は、シンク本体１０と連続するカウンター１０１の上面よりも低い位置に形成される。第１まな板支持部４１は、一対の側壁部１４、１５に沿って前壁部１２側から奥壁部１３側へ延びるように形成される。
【００２８】
第１規制部４４は、第１まな板支持部４１に支持されたまな板２０の前壁部１２側への移動を規制するものである。第１規制部４４は、第１まな板支持部４１における前壁部１２側であって、かつ前壁部１２の上端部１２ａよりも奥側に設けられる。すなわち、第１規制部４４は、一方の側壁部１４側の第１まな板支持部４１に設けられた第１規制部４４と、他方の側壁部１５側の第１まな板支持部４１に設けられた第１規制部４４とを結んだ仮想線ＩＬと、前壁部１２の上端部１２ａとの間に隙間Ｓが開くように配置されている。第１規制部４４は、まな板支持部４１の前壁部１２側の終端において、シンク本体１０の高さＨ方向へ起立する面である。第１規制部４４は、シンク本体１０の高さＨ方向へ起立している。
【００２９】
第２規制部４５は、第１まな板支持部４１における幅方向外側の側縁に沿って設けられる。第２規制部４５は、第１まな板支持部４１の幅方向外側の側縁からシンク本体１０の高さＨ方向へ起立する面である。第２規制部４５は、シンク本体１０の高さＨ方向へ起立していることにより、第１まな板支持部４１に支持されたまな板２０の幅方向ＷＤへの移動を規制する。
【００３０】
第２まな板支持部４２は、図４に示すように、前壁部１２の上端部１２ａ近傍における幅方向ＷＤの中央部に設けられて奥側に突出している。第２まな板支持部４２の上面は、まな板２０を支持可能な平面上に構成され、この上面においてまな板２０を支持する。第２まな板支持部４２の上面の位置（高さ）は、一対のまな板支持部４１の高さよりもわずかに低く構成される。第２まな板支持部４２の上面の高さは、例えば、一対のまな板支持部４１の高さよりも２ｍｍ〜５ｍｍ程度低く構成される。
【００３１】
第３規制部４６は、第２まな板支持部４２の手前側の端縁からシンク本体１０の高さＨ方向へ盛り上がる突起に設けられている。第３規制部４６は、一方の側壁部１４側の第１まな板支持部４１に設けられた第１規制部４４と、他方の側壁部１５側の第１まな板支持部４１に設けられた第１規制部４４とを結んだ仮想線ＩＬ上に位置する。第３規制部４６は、第２まな板支持部４２と、突起との境界に形成される突起の面である。
【００３２】
排水部５は、底面部１１の幅方向ＷＤにおける一方側で奥側に突出した排水部分に設けられている。排水部５は、窪み部５２と、排水穴５３と、を備える。窪み部５２は、底面部１１の一部が下方に窪んで形成される。排水穴５３は、窪み部５２の底面の一部に形成される。この排水穴５３には、配水管（図示せず）が接続される。
蓋５１は排水部５の上部に取り外し可能に配置され、排水部５を覆っている。
【００３３】
以上の台所用シンク１は、カウンター１０１と一体となってシステムキッチン１００に設けられる。台所用シンク１は、カウンター１０１の中央部寄りに設けられる。
台所用シンク１は、シートモールディングコンパウンド（Ｓｈｅｅｔ  Ｍｏｌｄｉｎｇ  Ｃｏｍｐｏｕｎｄ）や、バルクモールディングコンパウンド（Ｂｕｌｋ  Ｍｏｌｄｉｎｇ  Ｃｏｍｐｏｕｎｄ）等の合成樹脂製の成形材料を用いて、カウンター１０１と一体的に熱圧成形（所定の高温高圧下で行われるプレス成形法）により成形される。
【００３４】
カウンター１０１は、台所用シンク１の幅方向ＷＤの外側に、台所用シンク１に連続して設けられる。カウンター１０１は、上面が床面から所定の高さに位置するとともに、上面が略水平となるように構成される。
【００３５】
キャビネット１０３は、カウンター１０１の幅方向ＷＤにおける一方の下部に設けられる。キャビネット１０３は、戸棚や引き出し等の、調理に必要な用具や食品を収容可能な収納庫を備える。
【００３６】
脚部進入空間１０４は、台所用シンク１の下部に配置され、システムキッチン１００の前面から奥側に向かって形成された凹状の空間である。脚部進入空間１０４は、この凹状の空間に、台所用シンク１の利用者が椅子に座った状態で脚部を進入可能に形成される。脚部進入空間１０４は、台所用シンク１の手前側の端部から１８〜２１ｃｍ（長さＬ１）奥側の位置において、高さが、床面から６８ｃｍ以上空くように構成されている。また、脚部進入空間１０４は、図２に示すように、台所用シンク１の下部において所定幅Ｗ２開いている。幅Ｗ２は、例えば、６０〜９０ｃｍの範囲である。
【００３７】
水栓３は、台所用シンク１における奥側の略中央に配置され、台所用シンク１におけるシンク本体１０に向けて水を排出する。
【００３８】
加熱調理台１０２は、カウンター１０１上の幅方向ＷＤにおける一方側に台所用シンク１に隣接して配置される。図１に示すように、加熱調理台１０２と台所用シンク１との間の距離Ｗ１は、台所用シンク１の利用者が移動することなく好適に加熱調理台１０２を利用できるようにする観点から、５ｃｍ〜２０ｃｍ離れていることが好ましく、１０ｃｍ〜１５ｃｍ離れていることがより好ましい。加熱調理台１０２と台所用シンク１との間の距離Ｗ１が５ｃｍよりも短いと、加熱調理台の熱が台所用シンク１まで及ぶため、台所用シンク１を利用しづらくなる。加熱調理台１０２と台所用シンク１との間の距離Ｗ１が２０ｃｍを越えると、台所用シンク１の前において調理を行なっている利用者の手が加熱調理台１０２まで届きづらくなる。加熱調理台１０２と台所用シンク１との間の距離Ｗ１が５ｃｍ〜２０ｃｍの範囲内であれば、例えば、椅子に座った状態で台所用シンク１を利用している利用者が移動することなく好適に加熱調理台１０２を利用できる。
【００３９】
第１実施形態の台所用シンク１及びシステムキッチン１００によれば、以下のような効果を奏する。
【００４０】
（１）台所用シンク１に、シンク本体１０の一対の側壁部１４、１５の上端部１４ａ、１５ａから幅方向外側に延出する第１まな板支持部４１を設けた。このため、まな板２０の短手方向の端部をまな板支持部４１に載置し、まな板２０を横向きにおいて使用することができる。また、図８に示すように、まな板支持部４１は、一対の側壁部１４、１５の上端部１４ａ、１５ａから幅方向外側に延出しているため、まな板２０をまな板支持部４１に支持させた状態で手前側から奥側へ所望の位置にスライドさせることができる。
【００４１】
第１まな板支持部４１における前壁部１２側に、まな板２０の前壁部１２側への移動を規制する第１規制部４４を設け、前壁部１２の上端部１２ａを、第１規制部４４よりも手前側に位置させた。このため、まな板２０が第１規制部４４よりも手前に移動しないので、まな板２０の使用中にまな板２０がシンク本体１０からずれ落ちることがない。
更に、第１規制部４４よりも手前に前壁部１２の上端部１２ａを位置させた。このため第１まな板支持部４１の手前側にまな板２０を配置しても、まな板２０と前壁部１２の上端部１２ａとの間に、隙間Ｓが生じる。調理によりまな板２０の上に生じた液体や水は、第１規制部４４と前壁部１２の上端部１２ａに間に生じた隙間Ｓに落ち、台所用シンク１の外側までこぼれ落ちない。
【００４２】
（２）まな板２０を支持する第２まな板支持部４２を、前壁部１２の上端部１２ａ近傍における幅方向ＷＤの中央部に設けた。このため、まな板２０は、第１まな板支持部４１に支持された状態で、まな板２０の長手方向における略中央部において第２まな板支持部４２に支持される。したがって、硬い物を切る際に力を入れても、まな板２０が撓まず、利用者が力を入れやすい。
また、まな板２０が撓みにくいため、薄いまな板を用いることができ、高齢者等、重いものを持ち上げる力が低下している利用者であってもまな板２０を利用しやすい。
【００４３】
（３）第２まな板支持部４２の高さは、一対のまな板支持部４１の高さよりも低く構成されている。このため、まな板２０が使用により底面部１１側に窪むようにわずかに反った場合でも、まな板２０が安定しやすく、がたがたしない。
【００４４】
（４）前壁部１２の第２傾斜部１２２を、鉛直方向に対して４０°〜５０°手前側に傾斜して起立させた。このため、重たい鍋等を洗う際に、第２傾斜部１２２の傾斜を利用して鍋を傾けて洗うことができる。したがって、椅子に座ったままで鍋を持ち上げることなく洗うことができる。
また、第２傾斜部１２２よりも更に手前に、第２傾斜部１２２よりも緩い傾斜の第１傾斜部１２１を設けた。このため、重たい鍋等を洗う際に、第１傾斜部１２１に鍋の柄や底面等を立てかけるようにして洗うことができる。更に、おろし金や、板状の部材に刃を取り付けたスライサーを用いて調理する場合にも、おろし金やスライサーを第１傾斜部１２１に支持させて調理することができる。このように、第１傾斜部１２１を調理補助台として使用することができる。
【００４５】
（５）シンク本体１０を、合成樹脂部材により一体成型して形成した。このため、第１規制部４４、第２まな板支持部４２、第１傾斜部１２１及び第２傾斜部１２２等を容易に形成することができる。
【００４６】
（６）システムキッチン１００において、台所用シンク１の下部に、台所用シンク１の利用者が椅子に座った状態で脚部を進入可能な脚部進入空間１０４を形成した。このため、利用者が椅子に座った状態で、脚を脚部進入空間１０４に進入させて調理を行うことができる。このため、高齢者や、椅子に座った状態であれば活動が可能な利用者等が、調理を行うことができる。
なお、台所用シンク１がカウンター１０１の中央部寄りに設けられており、加熱調理台１０２が台所用シンク１に隣接して設けられているので、利用者は椅子に座ったまま狭い範囲で調理を行うことができる。
また、まな板２０を使用しない場合に、まな板２０を脚部進入空間１０４に収納できるため、限られたスペースを有効に利用して調理をすることができる。
【００４７】
（７）台所用シンク１と加熱調理台１０２との間の距離Ｗ１が５ｃｍ〜２０ｃｍとなるようにシステムキッチン１００を構成した。このため、利用者が椅子に座った状態のまま、加熱調理台１０２を使用して調理を行うことができる。更に、距離Ｗ１の範囲が５ｃｍ〜２０ｃｍであるため、システムキッチン１００全体をコンパクトに形成することができる。
【００４８】
（８）台所用シンク１の手前側の端部から１８〜２１ｃｍ（長さＬ１）奥側の位置における床面からの高さを、６８ｃｍ以上に構成した。この範囲の寸法であれば、車椅子の利用者にとっても、車椅子及び脚部を脚部進入空間１０４に進入させることができ、好適に調理を行うことができる。
【００４９】
次に、本発明の第２実施形態に係る台所用シンク１Ａについて、図９〜１２を参照しながら説明する。図９は、第２実施形態の台所用シンク１Ａを示す斜視図である。図１０は、第２実施形態における台所用シンクを示す平面図である。図１０において、水栓３及び蓋５１は省略されている。図１１及び１２は、第２実施形態の台所用シンク１Ａの使用の状態を示す斜視図である。
尚、第２実施形態以降の説明にあたって、同一構成要件については同一符号を付し、その説明を省略もしくは簡略化する。
【００５０】
第２実施形態の台所用シンク１Ａは、主として、第２まな板支持部４２Ａが一方の側壁部１４側に寄っている点、及び第３まな板支持部４３を備える点において、第１実施形態と異なる。
【００５１】
第３まな板支持部４３は、底面部１１における矩形部分から起立する奥壁部１３の上端部１３ａから奥側に略水平方向に延出している。第３まな板支持部４３は、第１まな板支持部４１と連続する平面上に延出している。第３まな板支持部４３は、まな板２０を第１まな板支持部４１及び第２まな板支持部４２に支持させた状態で、まな板２０の奥側に位置する短手方向の端部を支持することが可能な奥行き方向ＤＤの延出長さを有する。第２実施形態では、第３まな板支持部４３は、底面部１１の排水部分の奥行き方向ＤＤに相当する長さを有している。
【００５２】
第３まな板支持部４３は、図１０に示すように、第２まな板支持部４２の手前側の縁から第３まな板支持部４３の最も奥側の端部までの長さＬ２が、一対の第１まな板支持部４１のうち、一方の第１まな板支持部４１における第２規制部４５から他方のまな板支持部４１における第２規制部４５までの長さと略同じとなるように配置されている。
【００５３】
第２まな板支持部４２Ａは、図１０に示すように、シンク本体１０の幅方向ＷＤにおける中心線ＣＬから一方の側壁部１４側へ寄った位置に配置されている。第２まな板支持部４２Ａは、まな板２０の長手方向を側壁部１４に沿って配置させた場合に、一方の第２規制部４５から第２まな板支持部４２Ａの一方の側壁部１４側の端縁までの距離Ｗ３が、まな板２０の短手方向の長さＷ５よりも短く、まな板２０の短手方向の端部を支持可能な位置に配置されている。
【００５４】
第３規制部４６は、一方の第２規制部４５から第３規制部４６における一方の側壁部１４寄りの端部までの距離Ｗ４が、まな板２０の短手方向の長さＷ５より短く、まな板２０の長手方向を側壁部１４に沿って配置させた場合に、まな板２０の長手方向の端部に当接可能な位置に配置されている。
【００５５】
第２実施形態の台所用シンク１Ａによれば、上述した（１）〜（８）の作用効果を奏する他、以下のような作用効果を奏する。
【００５６】
（９）第３まな板支持部４３を、奥壁部１３の上端部１３ａから奥側に略水平方向に延出させた。したがって、まな板２０を、第２まな板支持部４２及び第３まな板支持部４３に支持させることにより、まな板２０をシンク本体１０Ａにおける側壁部１４に沿うように配置することができる。
また、図１１及び図１２に示すように、第３まな板支持部４３は、第２まな板支持部４２の手前側の縁から第３まな板支持部４３の最も奥側の端部までの長さが、一対の第１まな板支持部４１のうち、一方の第１まな板支持部４１における幅方向外側の縁から他方のまな板支持部４１における幅方向外側の縁までの長さと略同じとなるように配置されている。このため、まな板をシンク本体１０Ａにおける前壁部１２に沿うように配置する場合と、側壁部１４に沿うように配置する場合と、まな板２０の向きを用途に応じて任意に変更することができる。
【００５７】
次に、本発明の第３実施形態に係るシステムキッチン１００Ｂについて、図１３を参照しながら説明する。
【００５８】
第３実施形態の台所用シンク１Ｂは、主として、台所用シンク１Ｂの手前側の端部が、カウンターの手前側の端部よりも手前側に位置する点において、第１実施形態と異なる。
このため、第３実施形態の台所用シンク１Ｂを設けたシステムキッチン１００Ｂにおいて、カウンター１０１Ｂは、台所用シンク１Ｂの形状に沿って手前側へ張り出したカウンター延出部１０５を有する。
【００５９】
台所用シンク１Ｂは、手前側の端部をカウンター１０１Ｂよりも手前に延出させるように形成されている。また、台所用シンク１Ｂは、前壁部１２の上端部１２ａをカウンター１０１Ｂよりも手前に位置するように設けられている。
【００６０】
カウンター延出部１０５は、前壁部１２に沿って延び、前壁部１２の幅方向両側で奥側へ曲がる曲がり角部１０５ａを有する。カウンター延出部１０５は、前壁部１２の幅方向両側から奥側へ向かうに従って幅広になり、直線状に延びるカウンター１０１Ｂの手前側の端部へ連続している。
【００６１】
第３実施形態の台所用シンク１Ｂによれば、上述した（１）〜（８）の作用効果を奏する他、以下のような作用効果を奏する。
【００６２】
（１０）台所用シンク１Ｂの手前側の端部を、カウンター１０１Ｂの手前側の端部よりも手前側に配置した。したがって、椅子に座った状態で調理をしようとする際に、脚部を進入させる脚部進入空間１０４の奥行きを深くすることができる。また、椅子に座った状態で調理をしようとする際に、まな板２０が利用者側へ近くなるため、調理がしやすくなる。
【００６３】
以上、本発明の好ましい各実施形態について説明したが、本発明は、上述した各実施形態に制限されるものではなく、適宜変更が可能である。
例えば、図１４は、第３実施形態の変形例である。図１４に示すように、第３実施形態のシステムキッチン１００Ｂ及び台所用シンク１Ｂにおいて、前壁部１２の上端部１２ａ及び第１傾斜部１２１を、カウンター延出部１０５の曲がり角部１０５ａまで延出させ、第１傾斜部１２１がカウンター延出部１０５及び曲がり角部１０５ａの形状に沿うように構成してもよい。この構成によれば、第１傾斜部１２１がカウンター延出部１０５の曲がり角部１０５ａ側へ延出しているため、カウンター１０１Ｂの手前側へ落ちた水をより多くシンク本体１０Ｂ側へ移動させることができる。
【００６４】
また、上記の各実施形態では、第２まな板支持部４２、４２Ａは、第１まな板支持部４１よりもわずかに低く形成されている。しかし、これに限定されず、第２まな板支持部は、第１まな板支持部４１と同じ高さに構成されていてもよい。特に、第２実施形態のように、まな板の向きを代えて使用する場合には、第２まな板支持部の高さを第１まな板支持部の高さと同じ高さに構成することで、いずれの向きでまな板を使用した場合においてもまな板を安定的に支持させられる。
【００６５】
また、上記の各実施形態では、シンク本体１０は、合成樹脂部材によりカウンター１０１と一体に成型されている。しかし、これに限定されず、シンク本体１０とカウンター１０１とを別々に成型し、接着剤等で接合してシステムキッチンを構成してもよい。
また、シンク本体１０は、合成樹脂の真空成型や、注型により成型されてもよく、ＳＵＳ（ステンレススチール）を成型してもよい。
【００６６】
また、キャビネット１０３は、カウンター１０１の下部における幅方向両側に設けられていてもよい。キャビネット１０３は、収納庫ではなく、排水部５から延びる配管を外観上見えなくするための覆いのみを有する構成としてもよい。
【符号の説明】
【００６７】
１  台所用シンク
１０シンク本体
１０ａ  開口部
１１  底面部
１３  奥壁部
１２  前壁部
１４、１５  側壁部
２０  まな板
４１  第１まな板支持部
４２  第２まな板支持部
４３  第３まな板支持部
４４  第１規制部
１０１  カウンター
１００  システムキッチン
【図１】
0005975695.tif 000002
【図２】
0005975695.tif 000003
【図３】
0005975695.tif 000004
【図４】
0005975695.tif 000005
【図５】
0005975695.tif 000006
【図６】
0005975695.tif 000007
【図７】
0005975695.tif 000008
【図８】
0005975695.tif 000009
【図９】
0005975695.tif 000010
【図１０】
0005975695.tif 000011
【図１１】
0005975695.tif 000012
【図１２】
0005975695.tif 000013
【図１３】
0005975695.tif 000014
【図１４】
0005975695.tif 000015